(57)【要約】【課題】  一対の電極間に有機化合物からなる複数の層を有する発光素子において、発光層として機能する膜における結晶化の抑制または膜質の安定化をするための、従来とは異なる、新たな手段を提供することを課題とする。【解決手段】  本発明の発光素子は、発光性を有する置換基を骨格にもち、かつ棒状の分子構造を有する第１の分子を発光体として含む第１の膜と、前記第１の膜の一方の面に接し、球状の分子構造を有する第２の分子を含む第２の膜と、前記第１の膜の他方の面に接し、球状の分子構造を有する第３の分子を含む第３の膜と、を有し、前記第１の分子は、前記第１の分子の最長軸方向が前記第２の膜および第３の膜に対して垂直に交わるように配列していることを特徴とする。【選択図】  図４
2005078940.tif 000002
【特許請求の範囲】
【請求項１】
発光性を有する置換基を骨格にもち、かつ棒状の分子構造を有する第１の分子を発光体として含む第１の膜と、
前記第１の膜の一方の面に接し、球状の分子構造を有する第２の分子を含む第２の膜と、
前記第１の膜の他方の面に接し、球状の分子構造を有する第３の分子を含む第３の膜と、
を有し、
前記第１の分子の最長軸方向の延長線上に前記第２の分子、及び前記第３の分子を有することを特徴とする発光素子。
【請求項２】
発光性を有する置換基を骨格にもち、かつ棒状の分子構造を有する第１の分子を発光体として含む第１の膜と、
前記第１の膜の一方の面に接し、球状の分子構造を有する第２の分子を含む第２の膜と、
前記第１の膜の他方の面に接し、球状の分子構造を有する第３の分子を含む第３の膜と、
を有し、
前記第１の分子は、前記第１の分子の最長軸方向が前記第２の膜および第３の膜に対して垂直に交わるように配列している
ことを特徴とする発光素子。
【請求項３】
発光性を有する置換基を骨格にもち、かつ棒状の分子構造を有する第１の分子を発光体として含む第１の膜を有する発光素子であって、
前記第１の膜は、球状の分子構造を有する第２の膜と第３の膜とに密接し、
前記第１の分子の最長軸方向は、前記第１の膜の膜面に垂直に交わるように配列していることを特徴とする発光素子。
【請求項４】
請求項１乃至３のいずれか一において、置換基を骨格にもち、かつ棒状の分子構造を有する分子を発光層とし、
球状の分子構造を有する分子をホール輸送層、及び電子輸送層として有することを特徴とする発光素子。
【請求項５】
請求項１乃至３のいずれか一において、置換基を骨格にもち、かつ棒状の分子構造を有する分子をゲストとし、
球状の分子構造を有する分子をホストとして含む発光層を有することを特徴とする発光素子。
【請求項６】
請求項１乃至５のいずれか一において、前記発光性を有する置換基は、アントリル基、フェナントリル基、又はピレニル基を有することを特徴とする発光素子。
【請求項７】
請求項１乃至６のいずれか一において、
前記棒状の分子構造は、分子の最長軸と短軸の比が２を超えることを特徴とする発光素子。
【請求項８】
請求項１乃至７のいずれか一において、
前記発光性を有する置換基を骨格にもち、かつ棒状の分子構造を有する分子は、無置換または置換基を有する縮合芳香族化合物、置換基を有するアクリドン、キナクリドン、クマリン誘導体、スチリル化合物、又は４−ジシアノメチレン−２，５−ピロン誘導体を有することを特徴とする発光素子。
【請求項９】
請求項１乃至８のいずれか一において、
前記球状の分子構造を有する分子は、Ａｌｑ3やデンドリマー、又は９，９’−ビアントリルを有することを特徴とする発光素子。
【発明の詳細な説明】
【技術分野】
【０００１】
本発明は、発光素子に関し、特に一対の電極間に有機化合物が挟まれた構造を有する発光素子に関する。
【背景技術】
【０００２】
エレクトロルミネッセンス素子（ＥＬ；Electro Luminescence）からの発光を利用した発光装置は、表示用あるいは照明用の装置として注目され、開発が進められている。
【０００３】
発光装置の開発において、発光素子の発光輝度の経時的な変動を抑制し、長期間安定した発光が得られるようにすることは、非常に重要な課題である。
【０００４】
一般に、有機化合物を発光体として用いる発光素子において、発光輝度の経時的な変動は、有機化合物からなる膜の結晶化や、膜質の不安定性に起因したものであることが知られている。
【０００５】
このため、例えば特許文献１に示されているように、熱処理方法を工夫するという手段を用いて、有機化合物からなる膜の結晶化の抑制および膜質の安定化を図ることが試みられている。
【特許文献１】特開２０００−３１１７８４号公報
【発明の開示】
【発明が解決しようとする課題】
【０００６】
本発明では、一対の電極間に有機化合物からなる複数の層を有する発光素子において、発光層として機能する膜における結晶化の抑制または膜質の安定化をするための、上記とは異なる、新たな手段を提供することを課題とする。
【課題を解決するための手段】
【０００７】
本発明の発光素子は、発光性を有する置換基を骨格にもち、かつ棒状の分子構造を有する第１の分子を発光体として含む第１の膜と、前記第１の膜の一方の面に接し、球状の分子構造を有する第２の分子を含む第２の膜と、前記第１の膜の他方の面に接し、球状の分子構造を有する第３の分子を含む第３の膜と、を有し、前記第１の分子は、前記第１の分子の最長軸方向が前記第２の膜および第３の膜に対して垂直に交わるように配列していることを特徴としている。
【０００８】
本発明の発光素子は、発光性を有する置換基を骨格に有し、かつ棒状の分子構造を有する第１の分子を発光体として含む第１の膜を有する発光素子であって、前記第１の膜は、球状の分子構造を有する第２の膜と第３の膜とに密接し、前記第１の分子の最長軸方向は、前記第１の膜の膜面に垂直に交わるように配列していることを特徴としている。
【０００９】
球状の分子構造を有する第２の膜と、球状の分子構造を有する第３の膜とは同じ分子を有しても、異なる分子を有してもよい。
【００１０】
すなわち本発明の発光素子は、前記第１の分子の最長軸方向の延長線上に前記第２の分子、及び前記第３の分子を有するように配列することを特徴としている。
【００１１】
上記に示した発光素子において、第１の分子は、周期的間隔をもって配列していることが好ましい。
【００１２】
このような発光性を有する置換基を骨格に有し、かつ棒状の分子構造を有する分子を発光層とし、球状の分子構造を有する分子をホール輸送層、及び電子輸送層として用いることができる。また発光層において、発光性を有する置換基を骨格に有し、かつ棒状の分子構造を有する分子をゲストとし、球状の分子構造を有する分子をホストとして用いることができる。
【００１３】
発光性を有する置換基としては、アントリル基、フェナントリル基、ピレニル基等があげられる。また棒状の分子構造を有する化合物とは、分子の最も長い部分と短い部分の比が２を超える化合物である。発光性を有する置換基を骨格にもち、かつ棒状の分子構造を有する化合物としては、例えば、無置換または置換基を有する縮合芳香族化合物や、置換基を有するアクリドン、キナクリドン、クマリン誘導体、スチリル化合物、４−ジシアノメチレン−２，５−ピロン誘導体などがあげられる。
【００１４】
球状の分子構造を有する分子とは、Ａｌｑ3やデンドリマーのような三次元的な広がりを有する分子であり、分子の最も長い部分と短い部分の比が２以下の化合物をさす。つまり、ベンゼンやアントラセン、ピレンなどの縮合芳香族化合物に代表されるような平面構造の分子ではない。その他球状の分子構造を有する分子としては、９，９’−ビアントリル等が挙げられる。９，９’−ビアントリルのように、二つの縮合芳香環が互いに直交するような分子では、立体障害のために二つの縮合芳香環は共役することができず、二つの芳香環はほぼ直交する。このように設計すると、分子の最も長い部分（最長軸）と短い部分（短軸）の長さの比は１：１に近くなり、球状の分子であるとみなすことができる。
【００１５】
上記のような構成を有する本発明の発光素子は、発光層が結晶化しにくく、また膜質も安定したものである。
【発明の効果】
【００１６】
本発明により、結晶化しにくく、また膜質の安定した発光層を有する発光素子が得られる。つまり、発光層の結晶化や膜質の不安定性に起因した発光輝度の経時的な変動等の不良が抑制された良好な素子が得られる。
【発明を実施するための最良の形態】
【００１７】
（実施の形態１）
本実施の形態の発光素子は、基板１００上に第１の電極１０１を形成し、さらに第１の電極１０１の上にホール注入層１１１、ホール輸送層１１２、発光層１１３、および電子輸送層１１４を順に積層した後、さらに第２の電極１０３を電子輸送層１１４の上に形成することによって作製する。
【００１８】
従って、図１に示すように、第１の電極１０１と第２の電極１０３との間に、ホール注入層１１１、ホール輸送層１１２、発光層１１３、および電子輸送層１１４が狭持された構造となっている。
【００１９】
ここで基板１００に用いる材料としては、従来の発光素子に用いられているものであればよく、例えば、ガラス、石英、透明プラスチックなどからなるものを用いることができる。
【００２０】
また、本実施の形態において、第１の電極１０１は陽極として機能し、第２の電極１０３は陰極として機能する。
【００２１】
すなわち第１の電極１０１は陽極材料で形成され、ここで用いることのできる陽極材料としては、仕事関数の大きい（仕事関数４．０ｅＶ以上）金属、合金、電気伝導性化合物、およびこれらの混合物などを用いることが好ましい。なお、陽極材料の具体例としては、インジウム錫酸化物（ＩＴＯ：Ｉｎｄｉｕｍ  Ｔｉｎ  Ｏｘｉｄｅ）、酸化インジウムに２〜２０％の酸化亜鉛（ＺｎＯ）を混合したＩＺＯ（Ｉｎｄｉｕｍ  Ｚｉｎｃ  Ｏｘｉｄｅ）の他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（ＴｉＮ）等を用いることができる。
【００２２】
一方、第２の電極１０３の形成に用いられる陰極材料としては、仕事関数の小さい（仕事関数３．８ｅＶ以下）金属、合金、電気伝導性化合物、およびこれらの混合物などを用いることが好ましい。このような陰極材料の具体例としては、元素周期表の１族または２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（Ｍｇ：Ａｇ、Ａｌ：Ｌｉ）が挙げられる。しかしながら、第２の電極１０３と発光層との間に、電子注入を促す機能を有する層（電子注入層ともいう）を設けることにより、仕事関数の大小に関わらず、Ａｌ、Ａｇ、ＩＴＯ等様々な導電性材料を第２の電極１０３として用いることができる。
【００２３】
なお、電子注入を促す機能を有する層としては、フッ化リチウム（ＬｉＦ）、フッ化セシウム（ＣｓＦ）、フッ化カルシウム（ＣａＦ2）等のようなアルカリ金属又はアルカリ土類金属の化合物を用いることができる。また、その他、電子輸送性を有する材料中にアルカリ金属又はアルカリ土類金属を含有させたもの、例えばＡｌｑ中にマグネシウム（Ｍｇ）を含有させたもの等を用いることができる。
【００２４】
なお、上述した陽極材料及び陰極材料を蒸着法、スパッタリング法等により薄膜を形成することにより、それぞれ第１の電極１０１及び第２の電極１０３を形成する。
【００２５】
また、本発明の発光素子において、キャリアの再結合により生じる光は、第１の電極１０１または第２の電極１０３の一方、または両方から外部に出射される構成となる。すなわち、第１の電極１０１から光を出射させる場合には、第１の電極１０１を透光性の材料で形成することとし、第２の電極１０３側から光を出射させる場合には、第２の電極１０３を透光性の材料で形成することとする。
【００２６】
ホール注入層１１１を形成するホール注入材料としては、フタロシアニン系の化合物が有効である。例えば、フタロシアニン（略称：Ｈ2Ｐｃ）、銅フタロシアニン（略称：ＣｕＰｃ）等を用いることができる。
【００２７】
本実施の形態における発光素子では、ホール輸送層１１２は、発光層１１３と接する。このため、ホール輸送層１１２を形成するホール輸送材料としては、球状の分子構造を有する分子からなるものが好ましい。このようなものとして、例えば、トリフェニルアミノ基、あるいはカルバゾリル基を基本骨格とするデンドリマーが上げられる。具体的には、４，４'，４''−トリス（Ｎ，Ｎ−ジフェニル−アミノ）−トリフェニルアミン（略称：ＴＤＡＴＡ）や４，４'，４''−トリス［Ｎ−（３−メチルフェニル）−Ｎ−フェニル−アミノ］−トリフェニルアミン（略称：ＭＴＤＡＴＡ）、Ｎ−エチル−３，６−ジ−（Ｎ−カルバゾリル）−カルバゾールなどのデンドリマー（スターバースト型分子）があげられる。
【００２８】
発光層１１３は、発光性を有する置換基を骨格にもつ分子を発光体（ゲスト）として含む膜である。ここで、発光体としては、上述したような棒状の化合物が好ましく、棒状の化合物の分子最長軸は当該膜の膜面に対して垂直に配列することが好ましい。より、好ましくは前記化合物が周期的間隔を持って配列した構成である。
【００２９】
配列する方法としては、たとえば成膜時に電場を印加する方法が挙げられる。分子を真空蒸着、スピンコーティング、ディップコーティングなどによって成膜する際に、基板に垂直な方向に電場を印加する。双極子モーメントを有する分子は双極子モーメントを電場方向に平行に位置することがエネルギー的に安定である。したがって、成膜時に電場を印加することによって、棒状の分子は双極子モーメントを基板に対して垂直になるように位置することになる。
【００３０】
このような手法に好ましい分子は、棒状の形状を有し、かつ双極子モーメントの大きな化合物である。より具体的には、４−ジシアノメチレンピラン誘導体や、アクリドン誘導体、クマリン誘導体などが挙げられる。
【００３１】
なお、上記発光体は、４，４'−ビス（Ｎ−カルバゾリル）−ビフェニル（略称：ＣＢＰ）や、２，２’，２”−（１，３，５−ベンゼントリ−イル）−トリス［１−フェニル−１Ｈ−ベンズイミダゾール］（略称：ＴＰＢＩ）などのような公知のホスト材料と組み合わせて成膜すればよい。
【００３２】
ここで、発光体の分子を配列（配向ともいう）させると発光輝度の経時的な変動（経時劣化）が少ない理由について説明する。発光素子は、陰極と陽極に電流が流れることによって発光する。つまり、発光している際は常に電場が発光素子に印加していることになる。電場が印加されていると、発光素子が有する分子は、その双極子モーメントが電場に対して平行になるように動く。すなわち、この分子の運動は発光素子の初期特性の変化であり、特性の経時変化に直結している。従って、あらかじめ成膜時に双極子モーメントが膜に対して垂直となるように分子を配向することで特性の経時変化が抑制できるものと考えられる。また、双極子モーメントは分子の最長軸方向に一致する場合が多いので、分子の最長軸方向を膜に対して垂直に交わるように配向することが好ましい。
【００３３】
本実施の形態における発光素子では、電子輸送層１１４は、発光層１１３と接する。このため、電子輸送層１１４を形成する場合の電子輸送材料としては、球状の構造を有する分子を有するものが好ましい。このようなものとして、例えば、トリス（８−キノリノラト）アルミニウム（略称：Ａｌｑ3）、トリス（５−メチル−８−キノリノラト）アルミニウム（略称：Ａｌｍｑ3）、金属錯体が挙げられる。
【００３４】
以上に示した、ホール注入層１１１、ホール輸送層１１２、発光層１１３、および電子輸送層１１４は、それぞれ蒸着法、スピンコート法、インクジェット法等により形成できる。なお発光層１１３は、蒸着法、スピンコート法、インクジェット法等の方法により形成する際に、電場を掛けながら形成する。このような方法で形成することで、発光体における双極子モーメントと電場の作用により、発光性を有する置換基の平面は、当該膜の膜面に対し概ね垂直に交わるように制御できる。
【００３５】
図５は、形態における発光素子のホール輸送層１１２、発光層１１３、電子輸送層１１４の各層を構成している分子の態様を模式的に表した図である。球状の構造を有する分子２０１および２０３を有するホール輸送層及び電子輸送層に、板状の分子２０２、つまり発光層が挟まれた構造となっている。また板状の分子の分子平面は、球状の構造を有する分子２０１および２０３から構成される膜の膜面に対して概ね垂直となるように配列している。
【００３６】
なお、ホール注入層１１１、ホール輸送層１１２、発光層１１３および電子輸送層１１４としては、低分子系材料に限らず、高分子系材料を用いても構わない。
【００３７】
上記に示した発光素子は、第１の電極１０１と第２の電極１０３の間に生じた電位差により電流が流れ、発光する。
【００３８】
本実施の形態においては、ガラス、石英、透明プラスチックなどからなる基板１００上に発光素子を作製している。一基板上にこのような発光素子を複数作製することで、パッシブ型の発光装置を作製することができる。また、ガラス、石英、透明プラスチックなどからなる基板以外に、薄膜トランジスタ（ＴＦＴ）アレイ基板上に発光素子を作製してもよい。これにより、ＴＦＴによって発光素子の駆動を制御するアクティブマトリクス型の発光装置を作製できる。なお、ＴＦＴの構造は、特に限定されない。
【００３９】
さらに、本発明の発光素子によって複数の色からなる表示画像を得たい場合には、マスクや隔壁層などを利用し、本発明の有機化合物を発光物質として含む層を、発光色の異なるものごとにそれぞれ分離して形成すればよい。この場合、各発光色を呈する発光物質を含む層ごとに、異なる積層構造を有しても構わない。
【００４０】
また、発光物質を含む層の構造は、上記のもの限定されるものではなく、上記とは異なる積層構造を有する発光物質を含む層としてもよい。例えば、発光層以外に、電子注入層、電子輸送層、正孔阻止層、正孔輸送層、正孔注入層等の層を自由に組み合わせて設け、正孔注入層／発光層／電子輸送層、正孔注入層／正孔輸送層／発光層／電子輸送層、正孔注入層／正孔輸送層／発光層／電子輸送層／電子注入層、正孔注入層／正孔輸送層／発光層／正孔阻止層／電子輸送層、正孔注入層／正孔輸送層／発光層／正孔阻止層／電子輸送層／電子注入層等の積層構造を有する発光物質を含む層としてもよい。
【００４１】
上記に示した本発明の発光素子において、発光層１１３は結晶化しにくく、また安定した膜質を有するものである。つまり、上記に示した発光素子は、発光層の結晶化や膜質の不安定性に起因した発光輝度の経時的な変動等の不良が抑制されたものである。
【００４２】
（実施の形態２）
本実施の形態では、実施の形態１で示した本発明の発光素子を備えたアクティブマトリクス型表示装置の画素部の断面構造について説明する。図２（Ａ）に、駆動用トランジスタ９０２１がP型で、発光素子９０２２から発せられる光が陽極９０２３側に抜ける場合の画素の断面図を示す。
【００４３】
図２（Ａ）では、発光素子９０２２の陽極９０２３と駆動用トランジスタ９０２１が電気的に接続されており、陽極９０２３上に発光層９０２４、陰極９０２５が順に積層されている。陰極９０２５は仕事関数が小さく、なおかつ光を反射する導電膜であれば公知の材料を用いることができる。例えば、Ｃａ、Ａｌ、ＣａＦ、ＭｇＡｇ、ＡｌＬｉ等が望ましい。そして発光層９０２４は、単数の層で構成されていても、複数の層が積層されるように構成されていてもどちらでも良い。複数の層で構成されている場合、陽極９０２３上にホール注入層、ホール輸送層、発光層、電子輸送層、電子注入層の順に積層する。なおこれらの層を全て設ける必要はない。陽極９０２３は光を透過する透明導電膜を用いて形成し、例えばＩＴＯの他、酸化インジウムに２〜２０％の酸化亜鉛（ＺｎＯ）を混合した透明導電膜を用いても良い。
【００４４】
陽極９０２３と、発光層９０２４と、陰極９０２５とが重なっている部分が発光素子９０２２に相当する。図２（Ａ）に示した画素の場合、発光素子９０２２から発せられる光は、白抜きの矢印で示すように陽極９０２３側に抜ける。
【００４５】
図２（Ｂ）に、駆動用トランジスタ９００１がN型で、発光素子９００２から発せられる光が陽極９００５側に抜ける場合の、画素部の断面図を示す。図２（Ｂ）では、発光素子９００２の陰極９００３と駆動用トランジスタ９００１が電気的に接続されており、陰極９００３上に発光層９００４、陽極９００５が順に積層されている。陰極９００３は仕事関数が小さく、なおかつ光を反射する導電膜であれば公知の材料を用いることができる。例えば、Ｃａ、Ａｌ、ＣａＦ、ＭｇＡｇ、ＡｌＬｉ等が望ましい。そして発光層９００４は、単数の層で構成されていても、複数の層が積層されるように構成されていてもどちらでも良い。複数の層で構成されている場合、陰極９００３上に電子注入層、電子輸送層、発光層、ホール輸送層、ホール注入層の順に積層する。なおこれらの層を全て設ける必要はない。陽極９００５は光を透過する透明導電膜を用いて形成し、例えばＩＴＯの他、酸化インジウムに２〜２０％の酸化亜鉛（ＺｎＯ）を混合した透明導電膜を用いても良い。
【００４６】
陰極９００３と、発光層９００４と、陽極９００５とが重なっている部分が発光素子９００２に相当する。図２（Ｂ）に示した画素の場合、発光素子９００２から発せられる光は、白抜きの矢印で示すように陽極９００５側に抜ける。
【００４７】
図２（Ｃ）に、発光素子９０３２から発せられる光が陰極９０３５および陽極９０３３の両側に抜ける場合の、画素部の断面図を示す。図２（Ｃ）では、発光素子９０３２の陽極９０３３と駆動用トランジスタ９０３１が電気的に接続されており、陽極９０３３上に発光層９０３４、陰極９０３５が順に積層されている。陰極９０３５は例えば、Ｃａ、Ａｌ、ＣａＦ、ＭｇＡｇ、ＡｌＬｉ等の仕事関数が小さい材料からなる薄膜、若しくはこれらの材料を含有する薄膜であって透光性を有するものと透明導電膜とが積層された構造であることが望ましい。そして発光層９０３４は、単数の層で構成されていても、複数の層が積層されるように構成されていてもどちらでも良い。複数の層で構成されている場合、陽極９０３３上にホール注入層、ホール輸送層、発光層、電子輸送層、電子注入層の順に積層する。なおこれらの層を全て設ける必要はない。陽極９０２３は光を透過する透明導電膜を用いて形成し、例えばＩＴＯの他、酸化インジウムに２〜２０％の酸化亜鉛（ＺｎＯ）を混合した透明導電膜を用いても良い。
【００４８】
陰極９０３３と、発光層９０３４と、陽極９０３５とが重なっている部分が発光素子９０３２に相当する。図２（Ｃ）に示した画素の場合、発光素子９０３２から発せられる光は、白抜きの矢印で示すように陰極９０３５および陽極９０３３の両側に抜ける。
【００４９】
（実施の形態３）
本実施例では、画素部に本発明の発光素子を有する発光装置について図３を用いて説明する。なお、図３は、発光装置を示す上面図である。点線で示された４０１は駆動回路部（ソース側駆動回路）、４０２は画素部、４０３は駆動回路部（ゲート側駆動回路）である。また、４０４は封止基板、４０５はシール剤であり、シール剤４０５で囲まれた内側４０７は、空間になっている。
【００５０】
なお、４０８はソース側駆動回路４０１及びゲート側駆動回路４０３に入力される信号を伝送するための配線であり、外部入力端子となるＦＰＣ（フレキシブルプリントサーキット）４０９からビデオ信号、クロック信号、スタート信号、リセット信号等を受け取る。なお、ここではＦＰＣしか図示されていないが、このＦＰＣにはプリント配線基盤（ＰＷＢ）が取り付けられていてもよい。本実施例における発光装置には、発光装置本体だけでなく、それにＦＰＣもしくはＰＷＢが取り付けられた状態をも含むものとする。
【図面の簡単な説明】
【００５１】
【図１】本発明の発光素子の構成について説明する図。
【図２】本発明の発光素子を有するアクティブマトリクス型表示装置について説明する図。
【図３】本発明の発光素子を適用した表示装置の構成について説明する図。
【図４】本発明の発光素子の形態を模式的に表した図。
【図１】
2005078940.tif 000003
【図２】
2005078940.tif 000004
【図３】
2005078940.tif 000005
【図４】
2005078940.tif 000006